(57)【要約】【課題】ヘリコプター作業の訓練を短時間で効率的に実施させることができるヘリコプター作業訓練装置及びシステムを提供すること。【解決手段】ヘリコプター作業訓練装置であって、上方に起立する支柱と、支柱に保持される腕部と、腕部を水平方向に旋回させる旋回機構と、腕部に保持された模擬機体と、模擬機体近傍に設けられた巻き上げ機とを有すること。更に、ヘリコプター作業訓練装置を用いたヘリコプター作業訓練システムであって、複数の訓練区域を有すること。【選択図】図１
2019003193.tif 000002
【特許請求の範囲】
【請求項１】
上方に起立する支柱と、
前記支柱に保持される腕部と、
前記腕部を水平方向に旋回させる旋回機構と、
前記腕部に保持された模擬機体と、
前記模擬機体近傍に設けられた巻き上げ機と
を有するヘリコプター作業訓練装置。
【請求項２】
更に、前記模擬機体を前記腕部に沿って直線移動させる直線移動機構を有することを特徴とする請求項１に記載のヘリコプター作業訓練装置。
【請求項３】
更に、前記模擬機体を昇降させる昇降機構を有することを特徴とする請求項１に記載のヘリコプター作業訓練装置。
【請求項４】
更に、下方または側方に送風する回転翼または送風機を有することを特徴とする請求項１に記載のヘリコプター作業訓練装置。
【請求項５】
更に、前記模擬機体を前後左右またはその組み合わせの方向に傾斜させる機構を有することを特徴とする請求項１に記載のヘリコプター作業訓練装置。
【請求項６】
更に、模擬機体を揺動させる揺動機構を有することを特徴とする請求項１に記載のヘリコプター作業訓練装置。
【請求項７】
屋外に設置されることを特徴とする請求項１に記載のヘリコプター作業訓練装置。
【請求項８】
請求項１に記載のヘリコプター作業訓練装置と、
複数に分割した訓練区域からなる地表面と
を有するヘリコプター作業訓練システム。
【発明の詳細な説明】
【技術分野】
【０００１】
本発明は、ヘリコプター作業、すなわち、ヘリコプターからの人員や物資の降下作業、地上側でのヘリコプターとの連携作業、ヘリコプターへの人員や物資の引き上げ（ホイスト）などの作業を訓練するためのヘリコプター作業訓練装置及びシステムに関する。
【背景技術】
【０００２】
近年、ヘリコプターが、災害時や救急時の人命救助、物資の輸送、火災の消火活動などに幅広く利用されている。
【０００３】
そこで、そのような作業に従事する、ヘリコプター操縦士、降下して作業にあたる要員、及び、地上側で対応する作業を行う要員、例えば、消防士、救急救命士、警察官などに対する訓練の重要性は非常に高まっている。
【０００４】
これらの問題に関して、例えば、特許文献１には、基体の上部に救助隊員が降下するホイスト装置を備えたヘリコプターシミュレータと、ヘリコプターシミュレータの下方に位置して基体に設けられ底部に格納された海難用揺動デッキ及び基体底部に出入り自在に設けられた海難以外の災害用訓練デッキと、基体に設けられ海難用揺動デッキ又は訓練デッキの気象条件を訓練に応じて変化させるための模擬効果設備とを備える災害救助訓練装置の技術思想が開示されている。
【０００５】
これにより、ヘリコプターを利用した災害救助活動、遭難現場の救助活動及びヘリコプターと遭難現場との連携作業の訓練ができる。  
【０００６】
しかしながら、この災害救助訓練装置は、屋内（基体の内部）に収容されており、映像などのシミュレータは用意されているものの、自然の環境下での訓練ができないこと、海難用揺動デッキと海難以外の災害用訓練デッキとを訓練の目的に応じて差し替える必要があることなどから、短時間で効果的な訓練を実施することが難しいという問題点があった。  
【先行技術文献】
【特許文献】
【０００７】
【特許文献１】特開２００１−１３４１６８号公報
【発明の概要】
【発明が解決しようとする課題】
【０００８】
解決しようとする問題点は、ヘリコプター作業の訓練を短時間で効率的に実施させることができるヘリコプター作業訓練装置を提供することが難しい点である。
【課題を解決するための手段】
【０００９】
本発明は、上記課題を解決するために、ヘリコプター作業訓練装置であって、
上方に起立する支柱と、
前記支柱に保持される腕部と、
前記腕部を水平方向に旋回させる旋回機構と、
前記腕部に保持された模擬機体と、
前記模擬機体近傍に設けられた巻き上げ機と
を有することを特徴とする。
【００１０】
このようにすると、地表面に種々の異なる環境条件を準備しておけば、旋回機構によって模擬機体を旋回することで、簡便に、環境条件を変えて訓練することが可能となる。
【００１１】
また、本発明は、ヘリコプター作業訓練装置であって、更に、前記模擬機体を前記腕部に沿って直線移動させる直線移動機構を有することを特徴としてもよい。
【００１２】
このようにしても、支柱からの距離の遠近によって環境条件を変えることができるため、適切な訓練を行うことができる。  
【００１３】
また、本発明は、ヘリコプター作業訓練装置であって、更に、前記模擬機体を昇降させる昇降機構を有することを特徴としてもよい。
【００１４】
このようにすると、訓練参加者を地上で乗り込ませて、訓練を実施する高さまで上昇させることができ、訓練参加者の負担軽減となる。
【００１５】
また、本発明は、ヘリコプター作業訓練装置であって、更に、下方または側方に送風する回転翼または送風機を有することを特徴としてもよい。
【００１６】
このようにすると、ダウンウォッシュや横風などを模擬的に体験させることができ、効果的な訓練が実施できる。
【００１７】
また、本発明は、ヘリコプター作業訓練装置であって、更に、前記模擬機体を前後左右またはその組み合わせの方向に傾斜させる機構を有することを特徴としてもよい。
【００１８】
このようにすると、厳しい環境での訓練かでき、訓練効果が高まる。
【００１９】
また、本発明は、ヘリコプター作業訓練装置であって、更に、前記模擬機体を揺動させる揺動機構を有することを特徴としてもよい。
【００２０】
このようにすると、実際の作業時に体感される揺動に対応する訓練ができるため、訓練効果が高くなる。
【００２１】
なお、この装置は屋外に設置されることを特徴としてもよい。このようにすると、屋外に設置されることで、自然の気象条件などを体験することができる。
【００２２】
また、本発明は、上記課題を解決するために、ヘリコプター作業訓練システムであって、
先に述べたヘリコプター作業訓練装置と、複数に分割した訓練区域からなる地表面とを有することを特徴としてもよい。
【００２３】
すなわち、例えば、ヘリコプター作業訓練装置の支柱の周囲の地表面（地面に限らず、水面や建物の屋上などを含むものとする）を複数に分割した区域として、平坦で舗装された整地区域のほかに、アルミデッキヘリポート区域、砂地なとの不整地区域、プールなどを設けた水面区域、険しい斜面などを設けた山岳区域などを準備しておき、腕部を旋回することで、訓練地域を選択できるようにする。このようにすると、複数の訓練区域を単純に腕部の旋回のみで選択することができるため、短時間で効率的に訓練を行うことができる。
【発明の効果】
【００２４】
本発明のヘリコプター作業訓練装置及びシステムは、ヘリコプター作業の訓練を短時間で効率的に実施させることができるなどの効果を有する。
【図面の簡単な説明】
【００２５】
【図１】本発明のヘリコプター作業訓練装置の第１の実施形態の斜視図である。
【図２】本発明のヘリコプター作業訓練装置の第２の実施形態の正面図である。
【図３】本発明のヘリコプター作業訓練装置の第２の実施形態の正面拡大図である。
【図４】本発明のヘリコプター作業訓練装置の第２の実施形態の右側面図である。
【図５】本発明のヘリコプター作業訓練システムの一実施形態の斜視図である。
【発明を実施するための形態】
【００２６】
本発明の第１の実施形態を、図面を用いて説明する。図１は、本発明のヘリコプター作業訓練装置の第１の実施形態の斜視図である。
【００２７】
本発明のヘリコプター作業訓練装置１の第１の実施形態は、上方に起立する支柱１０と、支柱１０に保持される腕部２０と、腕部２０を水平方向に旋回させる旋回機構３０と、腕部２０の先端近傍に設けられた模擬機体４０と、模擬機体４０近傍に設けられた巻き上げ機５０と、模擬機体４０の上方に設けられた回転翼６０とを有する。
【００２８】
このヘリコプター作業訓練装置は、自然の環境下で訓練が実施できるよう、屋外に設置されることが望ましい。但し、悪天候でも訓練を実施できる点から、屋内設置を排除するものではない。
【００２９】
支柱１０（マストと呼んでもよい）は、地表面のコンクリート製の土台１１に固定されて、上方に延びる鉄鋼製のフレーム構造で、その内部に、訓練参加者が昇降できる階段１２を備えている。なお、支柱１０の固定には、土台１１は必ずしも必要ではなく、直接、支柱１０を地面に固定するようにしてもよく、また、地表面ではなく建造物などに固定して上方に延伸させてもよい。
【００３０】
腕部２０（ジブと呼んでもよい）は、支柱１０に保持されて、水平方向に延伸している。但し、完全に水平でなくても、略水平、すなわち、角度にしてプラスマイナス１０度程度までは傾斜していてもよい。また、腕部２０は、支柱１０の階段１２と連通する、模擬機体４０に向けての床及び手すり付きの通路２１を有している。  
【００３１】
旋回機構３０は、支柱１０と腕部２０との連結点近傍に設けられ、腕部２０を、支柱１０の周囲の水平方向に３６０度回転可能としている。この旋回機構３０は、モータなどにより駆動される周知の機構を用いればよく、必ずしも３６０度旋回できなくても、例えば１８０度の回転などであってもよい。また、水平方向だけでなく、斜め方向などの旋回ができてもよい。
【００３２】
これらの支柱１０及び腕部２０の構成は、つち型クレーンなどと称されて、広く実用化されている。
【００３３】
模擬機体４０は、腕部２０に保持され、腕部２０の先端近傍に設けられる。模擬機体４０は、ヘリコプターの機体（操縦室及び／または訓練参加者が作業を行うキャビン）を模したものであり、ヘリコプターでの作業を模擬的に行うことができる。
【００３４】
模擬機体４０には、外部での作業を行うため、あるいは外部から内部に出入りするための第１開口部４１、第１開口部４１の反対側にある第２開口部（図示せず）を有し、また、両方の開口部の外側には、下方に向けて第１スキッド４２、第２スキッド４３を有している。
【００３５】
巻き上げ機５０（ホイストと呼んでもよい）は、模擬機体４０に保持されて、模擬機体４０の外側で第１開口部４１の上方に設けられる。
【００３６】
なお、巻き上げ機５０は、模擬機体４０に保持されていなくとも、模擬機体４０の近傍の、例えば腕部２０に保持されていてもよい。
【００３７】
巻き上げ機５０は、先端にフック５１を有するロープ５２を格納しており、必要に応じて、ロープ５２を垂下させ、あるいは巻き上げることができる。なお、これ以降、ロープとあるものは、紐状のものであれば、ケーブル、ワイヤ、ベルトなどと称するものも含まれるものとする。
【００３８】
回転翼６０（ロータと呼んでもよい）は、模擬機体４０の上方で、回転翼用腕部２２に保持されており、図示しないモータの駆動により、垂直下方の風（ダウンウォッシュ）を発生させることができる。なお、回転翼用腕部２２も、旋回機構３０により、腕部２０と一緒に旋回する。ここで、回転翼用腕部２２と腕部２０を別構成としたが、一体構成とし、腕部２０に回転翼６０を保持させるようにしてもよく、あるいは模擬機体４０に回転翼６０を保持させるようにしてもよい。
【００３９】
更に、本発明のヘリコプター作業訓練装置の第１の実施形態は、模擬機体４０を揺動させる揺動機構を有していてもよい。
【００４０】
揺動装置は、図示しないが、模擬機体４０と腕部２０との連結部分に設けられ、周知の揺動機構により、模擬機体４０に揺れを加える。
【００４１】
次に、本発明の第１の実施形態の動作について説明する。
【００４２】
ヘリコプター作業訓練を行う訓練参加者は、支柱１０に設けられた階段１２を昇り、更に腕部２０の通路２１を経由して、模擬機体４０に到達し、第２開口部から模擬機体４０内に入る。
【００４３】
なお、更に、訓練参加者の利便のためには、階段１２に代えて、支柱に沿ってエレベータ（図示せず）を設けてもよい。
【００４４】
模擬機体４０内には、ヘリコプター作業を模擬的に行わせるための、図示しない電源スイッチ、操作部、表示部などが設けられている。
【００４５】
訓練に際しては、回転翼６０を回転させ、実地と同様のダウンウォッシュを発生させる。また、必要に応じて、搖動機構を作動させ、模擬機体４０に揺れを生じさせる。
【００４６】
地表面での作業が必要な場合は、模擬機体４０内の訓練参加者の操作により巻き上げ機５０を作動させ、別の訓練参加者を、第１開口部４１からロープ５２に固定して、地表面に降下させることができる。
【００４７】
このようにして降下した訓練参加者、更には、予め地表面で作業を行っている別の訓練参加者との連動により、遭難救助、救急救命、物資輸送、火災消火などの種々の場面を想定しての訓練が可能である。
【００４８】
この際にも、回転翼６０によるダウンウォッシュ、更には揺動機構による模擬機体４０の揺れなどの影響による模擬機体４０内の訓練参加者と地上の訓練参加者との連携した作業などが、実地に近い状態で訓練できる。
【００４９】
また、必要な場合は、腕部２０を旋回させることによって、模擬機体４０が旋回するような状況での訓練を行うことも可能である。
【００５０】
なお、これまでの説明で、模擬機体４０はヘリコプターの機体（操縦室及び／またはキャビン）を模したものとしたが、ヘリコプターの機体そのものを用いてもよい。その場合、回転翼６０についても実物を用いることでもよい。臨場感が増す効果が得られる。
【００５１】
逆に、ヘリコプターの機体の形状に似せずに、機能のみを模したものであってもよい。コスト的に低廉で済む効果がある。
【００５２】
なお、これまでの説明で、模擬機体４０内にヘリコプター作業を模擬的に行わせるための操作部が設けられているとしたが、それに代えて、遠隔で地上に操作部を設けてもよい。模擬機体４０内では、訓練作業のみに集中できる利点がある。
【００５３】
次に、本発明の第２の実施形態を、図面を用いて説明する。なお、第１の実施形態と共通する部分は、同じ番号を付したり、説明を省略したりする場合がある。
【００５４】
図２は本発明のヘリコプター作業訓練装置の第２の実施形態の正面図であり、図３はその部分拡大図であり、図４は本発明のヘリコプター作業訓練装置の第２の実施形態の右側面図（巻き上げ機部分を省略）である。
【００５５】
本発明のヘリコプター作業訓練装置１の第２の実施形態は、上方に起立する支柱１０と、支柱１０に保持される腕部２０と、腕部２０を水平方向に旋回させる旋回機構３０と、腕部２０の先端近傍に保持された模擬機体４０と、模擬機体４０を腕部２０に沿って直線状に移動させる直線移動機構７０と、模擬機体４０を地表面から腕部２０まで上昇及び下降させる昇降機構８０と、模擬機体４０近傍に設けられた巻き上げ機５０と、腕部２０の先端近傍に設けられる送風機９０と、地上に置かれこの装置の各部を操作するための操作部１００とを有する。
【００５６】
このヘリコプター作業訓練装置は、第１の実施形態と同じく、自然の環境下で訓練が実施できるよう、屋外に設置されることが望ましい。但し、悪天候でも訓練を実施できる点から、屋内設置を排除するものではない。
【００５７】
支柱１０（マストと呼んでもよい）は、上方に延びる鉄鋼製のフレーム構造で、最下部に上面から見てＸ字状に形成したベースを有し、それが周知の方法で基礎に対して固定される。
【００５８】
腕部２０（ジブと呼んでもよい）は、支柱１０に保持されて、水平方向に延伸している。但し、完全に水平でなくても、略水平、すなわち、角度にしてプラスマイナス１０度程度までは傾斜していてもよい。  
【００５９】
昇降機構８０は、腕部２０の先端部で、下向きの荷重を保持できる保持部８１、保持部８１の下方に固定された基板８２、基板８２上に固定される複数のローラ８３、ローラ８３に巻き掛けられた末端が４本に分割されているロープ８４、ロープ８４の先端に設けられた模擬機体４０を保持するための４本のフック８５を有する。
【００６０】
更に、ロープ８４は、腕部２０に設けられた多数のローラ群を介して、モータ８６の駆動力による正逆２方向の直線動作が可能であり、この動作により、模擬機体４０を保持するフック８５が上昇または下降し、これによって、模擬機体４０の上昇下降が可能となっている。
【００６１】
なお、昇降機構８０は、この例に限定されず、腕部２０の下方に保持される状態で模擬機体４０を上昇下降させることができれば、一般のクレーンなどで用いられるような機構であってもよい。
【００６２】
ここで、ロープ８４は、模擬機体４０を略水平に保持できるように構成されており、そのままの状態で昇降できるようになっている。
【００６３】
模擬機体４０は、ヘリコプターの機体（特に、訓練参加者が作業を行うキャビン）を模したものであり、ヘリコプターでの作業を模擬的に行うことができるもので、昇降機構８０のロープ８４の先端のフック８５によって腕部２０に対して横向き（腕部２０の旋回方向に機首を向ける向き）に保持される。
【００６４】
模擬機体４０には、外部での作業を行うため、あるいは外部から内部に出入りするための第１開口部４１、第１開口部４１の反対側にある第２開口部４４を有し、また、両方の開口部の外側には、下方に向けて第１スキッド４２、第２スキッド４３を有している。
【００６５】
巻き上げ機５０（ホイストと呼んでもよい）は、模擬機体４０に保持されて、模擬機体４０の外側で第１開口部４１の上方に設けられる。
【００６６】
巻き上げ機５０は、先端にフック５１を有するロープ５２を格納しており、必要に応じて、ロープ５２を垂下させ、あるいは巻き上げることができる。
【００６７】
なお、巻き上げ機５０は、模擬機体４０に保持されていなくとも、模擬機体４０の近傍の例えば基板８１に保持されていてもよい。
【００６８】
旋回機構３０は、支柱１０と腕部２０との連結点近傍に設けられ、腕部２０を、支柱１０の周囲の水平方向に３６０度回転可能としている。この旋回機構３０は、モータなどにより駆動される周知の機構を用いればよく、必ずしも３６０度旋回できなくても、例えば１８０度の回転などであってもよい。また、水平方向だけでなく、斜め方向などの旋回ができてもよい。  
【００６９】
直線移動機構７０は、先に述べた保持部８１が、腕部２０に対してベアリングなどを介して直線移動可能になっており、図示しない電動シリンダによって腕部２０に沿って直線方向の移動を行うようになっている。ここで模擬機体４０が横向きの状態で移動するので横行機構と呼んでもよい。  
【００７０】
なお、直線移動機構７０は、電動シリンダを用いた構造に限定されず、ワイヤードラムを用いる構造など、直線移動が可能であればどのような構造であってもよい。
【００７１】
更に、直線移動機構７０は、昇降機構８０と同様のモータとロープの組み合わせによるものであってもよく、直線移動と昇降とが並行動作しない場合には、昇降機構８０とモータを共用してもよい。
【００７２】
送風機９０は、腕部２０の先端の近傍、ここでは昇降機構８０の基板８２に固定され、下向きの風を生成して吹出すことができる。例えば、大型の扇風機のようなものであってもよく、風速や風量を調整できるようになっている。
【００７３】
このような構成であると、模擬機体４０を直線移動（横行）させた場合も、常に同じ強さの送風が可能である。
【００７４】
なお、図示しないが送風機９０は支柱１０に固定してもよい。例えば、地表面に近い位置に送風機９０を設けると、地表での作業について、強風の場合の対応などを訓練することができる。
【００７５】
あるいは、図示しないが送風機９０は模擬機体４０の上部などに取付部を設け、そこに固定するようにしてもよい。そのようにすると、模擬機体４０と一緒に昇降できるため、模擬機体４０がどの高さに位置していても常に同じ強さの送風が可能である。
【００７６】
操作部１００は、地上に設けられ、模擬機体４０及び各機構の駆動部と電気的に接続され、昇降機構８０による模擬機体４０の上昇下降、旋回機構３０による模擬機体４０の旋回、直線移動機構７０による模擬機体４０の移動、巻き上げ機５０による訓練参加者または物資の上昇下降などの操作、送風機９０による送風のオンオフ及び風速風量調節、及び、必要な表示、音声による指示・案内などが可能なようになっている。
【００７７】
これらの操作を行うために、キーボード、マウスなどの入力機器のほか、ジョイスティックなど、実作業に近い作業形態の入力機器を有してもよい。
【００７８】
なお、これらの操作の一部または全部を模擬機体４０の内部に設けた操作部（図示せず）によって行わせるようにしてもよい。
【００７９】
更に、本発明のヘリコプター作業訓練装置の第２の実施形態においても、模擬機体４０を揺動させる揺動機構を有していてもよい。
【００８０】
揺動装置は、図示しないが、模擬機体４０と腕部２０との連結部分に設けられ、周知の揺動機構により、模擬機体４０に揺れを加える。
【００８１】
次に、本発明の第２の実施形態の動作について説明する。
【００８２】
まず、操作部１００の操作によって、模擬機体４０を、昇降機構８０を用いて地表面に降下させ、そこでヘリコプター作業訓練を行う訓練参加者を第１開口部４１または第２開口部４４から模擬機体４０内部へと搭乗させる。
【００８３】
次に、模擬機体４０を、昇降機構８０を用いて腕部２０の直下に到るまで上昇させる。
【００８４】
次に、模擬機体４０を、旋回機構３０を用いて支柱１０の回りで回転させる。地表面に種々の訓練区域が設けられている場合は、旋回によって、所望の訓練区域の上方に模擬機体４０を位置させることができる。
【００８５】
また、支柱１０からの距離についても、直線移動機構７０を用いて、その距離を変更することができ、適切な訓練区域の上方に模擬機体４０を位置させることができる。
【００８６】
訓練に際しては、送風機９０を作動させ、実地と同様のダウンウォッシュを発生させる。また、必要に応じて、搖動機構を作動させ、模擬機体４０に揺れを生じさせる。
【００８７】
地表面での作業が必要な場合は、操作部１００の操作により巻き上げ機５０を作動させ、訓練参加者を、第１開口部４１からロープ５２に固定して、地表面に降下させることができる。
【００８８】
このようにして降下した訓練参加者、更には、予め地表面で作業を行っている別の訓練参加者との連動により、遭難救助、救急救命、物資輸送、火災消火などの種々の場面を想定しての訓練が可能である。
【００８９】
この際にも、送風機９０によるダウンウォッシュ、更には揺動機構による模擬機体４０の揺れなどの影響による模擬機体４０内の訓練参加者と地上の訓練参加者との連携した作業などが、実地に近い状態で訓練できる。
【００９０】
また、必要な場合は、訓練中にも、操作部１００の操作により、昇降機構８０による模擬機体４０の上昇下降、旋回機構３０による模擬機体４０の旋回、直線移動機構７０による模擬機体４０の移動など、模擬機体４０に生ずる可能性のある動きを実現することができ効果的な訓練が可能となる。
【００９１】
なお、本発明の第２の実施形態のこれまでの説明で、模擬機体４０はヘリコプターの操縦室及び／またはキャビンを模したものとしたが、ヘリコプターの機体の一部をそのまま用いてもよい。臨場感が増す効果がある。
【００９２】
逆に、操縦室及び／またはキャビンの形状に似せずに、機能のみを模したものであってもよい。コスト的に低廉で済む効果がある。
【００９３】
なお、本発明の第２の実施形態のこれまでの説明では、昇降機構８０のロープ８４は、模擬機体４０を略水平に保持できるように構成されているとしたが、ロープ８４の末端の４本のフック８５の位置を異なる高さとするように構成することも可能である。このようにすると、模擬機体４０を、前方、後方、左方、右方、あるいはそれらの複合した方向に傾斜させることができ、訓練のためのより厳しい環境の再現が可能である。
【００９４】
なお、本発明の第２の実施形態には、更に、支柱を中心とした円の接線方向への接線方向移動機構を設けてもよい。これは、腕部２０と昇降機構８０の基板８１との間で、基板８１が腕部と直角方向に短い距離を滑動できるようにするものであり、周知のスライド機構を用いればよい。これにより、旋回機構３０を用いずに、微妙な位置調整を可能とすることで、高度な訓練を実施することができるという効果を奏する。
【００９５】
次に、本発明の別の態様であるヘリコプター作業訓練システムの一実施形態を説明する。  図５は、本発明のヘリコプター作業訓練システムの一実施形態の斜視図である。
【００９６】
ヘリコプター作業訓練システム２の一実施形態は、先に述べたヘリコプター作業訓練装置１と、複数に分割した訓練区域２００からなる地表面とを有する。なお、図５では、本発明の第１の実施形態のヘリコプター作業訓練装置１を例として示しているが、これに代えて、本発明の第２の実施形態のヘリコプター作業訓練装置１であってもよい。
【００９７】
ヘリコプター作業訓練装置１は、先に述べた通り、腕部２０に保持された模擬機体４０が旋回できるようになっている。実施形態によっては、ヘリコプター作業訓練装置１は、腕部２０に沿って直線移動も可能となっている。
【００９８】
地表面（地面に限らず、水面や建物の屋上などを含むものとする）は、複数に分割した区域２００として、例えば、平坦で舗装された整地区域２０１、岩石などの不整地区域２０２、プールなどを設けた水面区域２０３、険しい斜面などを設けた山岳区域２０４を設ける。
【００９９】
このようなヘリコプター作業訓練システム２の一実施形態の作用について説明する。ヘリコプター作業の訓練を行う訓練参加者は、模擬機体４０に搭乗し、その後に腕部２０を旋回させ、必要な場合は、腕部２０に沿って直線移動させることで、これらの訓練区域２０１−２０４（代表して２００で表す）を選択できる。
【０１００】
なお、訓練区域２００としては、先に述べたものに限定されず、建物屋上のアルミデッキヘリポート区域、火災発生時の煙幕区域など、訓練の必要に応じて、種々の区域を設けることができる。
【０１０１】
また、訓練区域２００の形状としては、支柱１０を中心とした扇形としたが、これに限定されず、矩形やそれ以外の形状であってもよい。訓練区域２００の数も、４としたがこれに限定されず、２以上であればよい。
【０１０２】
このようにすると、複数の訓練区域２０１−２０４を単純に腕部２０の旋回のみで選択することができるため、短時間で効率的に訓練を行うことができる。  
【符号の説明】
【０１０３】
１      ヘリコプター作業訓練装置
２      ヘリコプター作業訓練システム
１０    支柱
２０    腕部
３０    旋回機構
４０    模擬機体
５０    巻き上げ機
６０    回転翼
７０    直線移動機構
８０    昇降機構
９０    送風機
１００  操作部
２００  訓練区域
【図１】
2019003193.tif 000003
【図２】
2019003193.tif 000004
【図３】
2019003193.tif 000005
【図４】
2019003193.tif 000006
【図５】
2019003193.tif 000007
【手続補正書】
【提出日】平成30年10月28日(2018.10.28)
【手続補正１】
【補正対象書類名】特許請求の範囲
【補正対象項目名】全文
【補正方法】変更
【補正の内容】
【特許請求の範囲】
【請求項１】
上方に起立する支柱と、
前記支柱に保持される腕部と、
前記腕部に保持された模擬機体と、
地表面の複数に分割された訓練区域を選択する訓練区域選択手段と、
前記模擬機体近傍に設けられた巻き上げ機と
を有するヘリコプター作業訓練装置であって、前記訓練区域選択手段が、前記腕部を水平方向に旋回する旋回機構と前記模擬機体を前記腕部に沿って直線移動させる直線移動機構とを含むことを特徴とするヘリコプター作業訓練装置。
【請求項２】
更に、前記模擬機体を昇降させる昇降機構を有することを特徴とする請求項１に記載のヘリコプター作業訓練装置。
【請求項３】
更に、下方または側方に送風する回転翼または送風機を有することを特徴とする請求項１に記載のヘリコプター作業訓練装置。
【請求項４】
更に、前記模擬機体を前後左右またはその組み合わせの方向に傾斜させる機構を有することを特徴とする請求項１に記載のヘリコプター作業訓練装置。
【請求項５】
更に、模擬機体を揺動させる揺動機構を有することを特徴とする請求項１に記載のヘリコプター作業訓練装置。
【請求項６】
屋外に設置されることを特徴とする請求項１に記載のヘリコプター作業訓練装置。
【請求項７】
請求項１に記載のヘリコプター作業訓練装置と、
前記複数に分割した訓練区域からなる地表面と
を有するヘリコプター作業訓練システム。